(57)【要約】【課題】  駐車場の利用者が所持する携帯端末を用いて駐車位置等の情報を容易に確認できるようにした駐車場システムを提供する。【解決手段】  駐車場システムは、駐車場入口に設置され車両１０に取り付けられたＲＦＩＤ部１１から車情報を読み取る車両読取装置３０と、利用者が所持する携帯端末２０に取り付けられたＲＦＩＤ部２１からメールアドレス等のアドレス情報を含む端末情報を読み取る端末読取装置４０とを備える。また、駐車区画毎に設置され、車両１０に取り付けられたＲＦＩＤ部１１から車情報を読み取る駐車位置読取装置を備える。さらに、車情報、端末情報、駐車位置情報を対応付けて管理し、携帯端末２０へ駐車位置を知らせるメッセージを送信する管理サーバ６０を有して構成される。【選択図】  図１
2006259850.tif 000002
【特許請求の範囲】
【請求項１】
駐車場の入口に設置され、車に設けられた非接触通信部から車情報を読み取る車読取部と、
前記駐車場の入口に設置され、利用者が所持する携帯端末に設けられた非接触通信部から端末情報を読み取る端末読取部と、
前記駐車場の駐車区画毎に設置され、各駐車区画位置において前記車に設けられた非接触通信部から前記車情報を読み取る駐車位置読取部と、
前記車読取部から供給される車情報、前記端末読取部から供給される端末情報、前記駐車位置読取部から供給される車情報及び駐車位置情報を対応付けて管理する情報管理部と、前記端末情報と前記駐車位置情報に基づいて対応する携帯端末宛に駐車位置情報を含むメッセージを生成して送信する情報送信部とを有する管理サーバと、
を備える駐車場システム。
【請求項２】
請求項１記載の駐車場システムであって、
前記車読取部は、前記車の入場時にこの車の車情報の読み取りを行い、前記端末読取部は、前記車の入場に対応させて、前記車の周辺または内部にある携帯端末の端末情報の読み取りを行う駐車場システム。
【請求項３】
請求項１記載の駐車場システムであって、
前記管理サーバは、前記メッセージとして、前記駐車位置情報に加えて、入庫時間、駐車料金案内、周辺施設情報の少なくともいずれか１つの情報を含んだメッセージを生成して送信する駐車場システム。
【請求項４】
駐車場システムに用いられる携帯端末であって、
駐車場の入口に設置された端末読取部と非接触通信を行い、前記端末読取部に自端末の端末情報を読み取らせる非接触通信部と、
前記端末情報とこの端末情報に対応付けられた車情報及び駐車位置情報とに基づいて管理サーバで生成され送信される、駐車位置情報を含むメッセージを受信する通信部と、
前記受信したメッセージの内容を表示する表示部と、
を備える携帯端末。
【請求項５】
駐車場の入口に設置され、車に設けられた非接触通信部から車情報を読み取る車読取部と、
前記駐車場の入口に設置され、利用者が所持する携帯端末に設けられた非接触通信部から端末情報を読み取るとともに、前記非接触通信部に当該駐車場システムを管理する管理サーバのサーバ情報を書き込む端末読取部と、
前記駐車場の駐車区画毎に設置され、各駐車区画位置において前記車に設けられた非接触通信部から前記車情報を読み取る駐車位置読取部と、
前記車読取部から供給される車情報、前記端末読取部から供給される端末情報、前記駐車位置読取部から供給される車情報及び駐車位置情報を対応付けて管理する情報管理部と、携帯端末から前記サーバ情報に基づいて情報取得要求があった場合に、この携帯端末に対して駐車位置情報を含む配信情報を送信する情報送信部とを有する管理サーバと、
を備える駐車場システム。
【請求項６】
請求項５記載の駐車場システムであって、
前記車読取部は、前記車の入場時にこの車の車情報の読み取りを行い、前記端末読取部は、前記車の入場に対応させて、前記車の周辺または内部にある携帯端末の端末情報の読み取りを行い、前記管理サーバのサーバ情報の書き込みを行う駐車場システム。
【請求項７】
請求項５記載の駐車場システムであって、
前記管理サーバは、前記配信情報として、前記駐車位置情報に加えて、入庫時間、駐車料金案内、周辺施設情報の少なくともいずれか１つの情報を含んだ配信情報を送信する駐車場システム。
【請求項８】
駐車場システムに用いられる携帯端末であって、
駐車場の入口に設置された端末読取部と非接触通信を行い、前記端末読取部に自端末の端末情報を読み取らせるとともに、当該駐車場システムを管理する管理サーバのサーバ情報を書き込む非接触通信部と、
前記サーバ情報に基づいて前記管理サーバに情報取得要求を送信するとともに、この情報取得要求に応じて、前記端末情報とこの端末情報に対応付けられた車情報及び駐車位置情報とに基づいて管理サーバから送信される、駐車位置情報を含む配信情報を受信する通信部と、
前記受信した配信情報の内容を表示する表示部と、
を備える携帯端末。
【発明の詳細な説明】
【技術分野】
【０００１】
本発明は、携帯端末を用いた駐車場システムに関する。
【背景技術】
【０００２】
車両等の複数の移動体を駐車する駐車場において、移動体に取り付けられたＲＦＩＤタグを読み取る非接触リーダライタを各々の駐車位置に設け、非接触リーダライタの読取結果に基づいて移動体の駐車位置を判断し、駐車場の所定位置（例えば駐車場の入口）に設置した表示手段に特定の移動体の駐車位置を表示するようにした駐車場システムが提案されている（特許文献１参照）。
【０００３】
【特許文献１】特開２００４−１９９６０４号公報
【発明の開示】
【発明が解決しようとする課題】
【０００４】
しかしながら、上記駐車場システムでは、駐車位置を確認する場合、所定位置に設置された表示手段（駐車位置表示装置）まで足を運ばなければならず、駐車位置を確認したいときにすぐには確認することができない。また、駐車場の所定位置（例えば駐車場の入口等）に表示手段（駐車位置表示装置）を設置する必要がある。
【０００５】
本発明は、上記事情に鑑みてなされたもので、駐車場の利用者が所持する携帯端末を用いて駐車位置等の情報を容易に確認することが可能な駐車場システムを提供することを目的とする。
【課題を解決するための手段】
【０００６】
本発明の駐車場システムは、駐車場の入口に設置され、車に設けられた非接触通信部から車情報を読み取る車読取部と、前記駐車場の入口に設置され、利用者が所持する携帯端末に設けられた非接触通信部から端末情報を読み取る端末読取部と、前記駐車場の駐車区画毎に設置され、各駐車区画位置において前記車に設けられた非接触通信部から前記車情報を読み取る駐車位置読取部と、前記車読取部から供給される車情報、前記端末読取部から供給される端末情報、前記駐車位置読取部から供給される車情報及び駐車位置情報を対応付けて管理する情報管理部と、前記端末情報と前記駐車位置情報に基づいて対応する携帯端末宛に駐車位置情報を含むメッセージを生成して送信する情報送信部とを有する管理サーバと、を備えるものである。
【０００７】
これにより、駐車位置等を知らせるメッセージを管理サーバから駐車場の利用者が所持する携帯端末に送信することができ、携帯端末において受信した駐車位置情報を含むメッセージを表示することによって、利用者は携帯端末によって駐車場での駐車位置等の情報を容易に確認することが可能となる。
【０００８】
また、本発明は、上記の駐車場システムであって、前記車読取部は、前記車の入場時にこの車の車情報の読み取りを行い、前記端末読取部は、前記車の入場に対応させて、前記車の周辺または内部にある携帯端末の端末情報の読み取りを行うものとする。
【０００９】
これにより、車の入場時にこの車の周辺または内部にある携帯端末を、利用者が所持する携帯端末とみなして端末情報を取得し、取得した端末情報と車情報及び駐車位置情報とを対応付けて管理することが可能である。よって、端末情報と駐車位置情報に基づいて駐車位置情報を含むメッセージを生成し、対応する携帯端末宛に送信することができる。
【００１０】
また、本発明は、上記の駐車場システムであって、前記管理サーバは、前記メッセージとして、前記駐車位置情報に加えて、入庫時間、駐車料金案内、周辺施設情報の少なくともいずれか１つの情報を含んだメッセージを生成して送信するものとする。
【００１１】
これにより、駐車場の利用者は、携帯端末によって、駐車位置だけではなく、入庫時間、駐車料金案内、周辺施設情報などの駐車場に関連する情報を得ることができる。
【００１２】
本発明の携帯端末は、駐車場システムに用いられる携帯端末であって、駐車場の入口に設置された端末読取部と非接触通信を行い、前記端末読取部に自端末の端末情報を読み取らせる非接触通信部と、前記端末情報とこの端末情報に対応付けられた車情報及び駐車位置情報とに基づいて管理サーバで生成され送信される、駐車位置情報を含むメッセージを受信する通信部と、前記受信したメッセージの内容を表示する表示部と、を備えるものである。
【００１３】
これにより、駐車場システム側で車情報と駐車位置情報とを取得し、読み取った端末情報とともに対応付けて管理サーバで管理しておけば、端末情報と駐車位置情報に基づいて駐車位置情報を含むメッセージを生成し、対応する携帯端末宛にこのメッセージを送信できるため、携帯端末においてメッセージの内容を表示することで利用者は駐車位置等の情報を容易に確認することが可能となる。
【００１４】
本発明の駐車場システムは、駐車場の入口に設置され、車に設けられた非接触通信部から車情報を読み取る車読取部と、前記駐車場の入口に設置され、利用者が所持する携帯端末に設けられた非接触通信部から端末情報を読み取るとともに、前記非接触通信部に当該駐車場システムを管理する管理サーバのサーバ情報を書き込む端末読取部と、前記駐車場の駐車区画毎に設置され、各駐車区画位置において前記車に設けられた非接触通信部から前記車情報を読み取る駐車位置読取部と、前記車読取部から供給される車情報、前記端末読取部から供給される端末情報、前記駐車位置読取部から供給される車情報及び駐車位置情報を対応付けて管理する情報管理部と、携帯端末から前記サーバ情報に基づいて情報取得要求があった場合に、この携帯端末に対して駐車位置情報を含む配信情報を送信する情報送信部とを有する管理サーバと、を備えるものである。
【００１５】
これにより、駐車場の利用者が所持する携帯端末から管理サーバにアクセスして情報取得要求を送信することで、この情報取得要求に応じて、駐車位置等を知らせる配信情報を管理サーバから携帯端末に送信することができ、携帯端末において受信した駐車位置情報を含む配信情報を表示することによって、利用者は携帯端末によって駐車場での駐車位置等の情報を容易に確認することが可能となる。
【００１６】
また、本発明は、上記の駐車場システムであって、前記車読取部は、前記車の入場時にこの車の車情報の読み取りを行い、前記端末読取部は、前記車の入場に対応させて、前記車の周辺または内部にある携帯端末の端末情報の読み取りを行い、前記管理サーバのサーバ情報の書き込みを行うものとする。
【００１７】
これにより、車の入場時にこの車の周辺または内部にある携帯端末を、利用者が所持する携帯端末とみなして端末情報を取得し、この携帯端末に管理サーバのサーバ情報を書き込み、取得した端末情報と車情報及び駐車位置情報とを対応付けて管理することが可能である。よって、携帯端末からサーバ情報に基づいて情報取得要求があった場合に、端末情報と駐車位置情報に基づいて対応する携帯端末に対して駐車位置情報を含む配信情報を送信することができる。
【００１８】
また、本発明は、上記の駐車場システムであって、前記管理サーバは、前記配信情報として、前記駐車位置情報に加えて、入庫時間、駐車料金案内、周辺施設情報の少なくともいずれか１つの情報を含んだ配信情報を送信するものとする。
【００１９】
これにより、駐車場の利用者は、携帯端末によって、駐車位置だけではなく、入庫時間、駐車料金案内、周辺施設情報などの駐車場に関連する情報を得ることができる。
【００２０】
本発明の携帯端末は、駐車場システムに用いられる携帯端末であって、駐車場の入口に設置された端末読取部と非接触通信を行い、前記端末読取部に自端末の端末情報を読み取らせるとともに、当該駐車場システムを管理する管理サーバのサーバ情報を書き込む非接触通信部と、前記サーバ情報に基づいて前記管理サーバに情報取得要求を送信するとともに、この情報取得要求に応じて、前記端末情報とこの端末情報に対応付けられた車情報及び駐車位置情報とに基づいて管理サーバから送信される、駐車位置情報を含む配信情報を受信する通信部と、前記受信した配信情報の内容を表示する表示部と、を備えるものである。
【００２１】
これにより、駐車場システム側で車情報と駐車位置情報とを取得し、読み取った端末情報とともに対応付けて管理サーバで管理しておけば、携帯端末において、取得したサーバ情報に基づいて管理サーバにアクセスして情報取得要求を送信することにより、管理サーバから端末情報と駐車位置情報に基づいて駐車位置情報を含む配信情報を送信できるため、携帯端末において配信情報の内容を表示することで利用者は駐車位置等の情報を容易に確認することが可能となる。
【発明の効果】
【００２２】
本発明によれば、駐車場の利用者が所持する携帯端末を用いて駐車位置等の情報を容易に確認することが可能な駐車場システムを提供できる。
【発明を実施するための最良の形態】
【００２３】
（第１の実施形態）
図１〜図３は本発明の第１の実施形態に係る駐車場システムの構成を示す図であり、図１は駐車場の入場時に関連する機能構成を示す図、図２は駐車場の各駐車位置での駐車時に関連する機能構成を示す図、図３は駐車場入口の入場ゲートの配置構成を示す図である。
【００２４】
第１の実施形態の駐車場システムは、図１に示すように、駐車場入口に設置され、車両１０に取り付けられたＲＦＩＤ部１１から車情報を読み取る車読取部の一例に相当する車両読取装置３０と、利用者が所持する携帯端末２０に取り付けられたＲＦＩＤ部２１からメールアドレス等のアドレス情報を含む端末情報を読み取る端末読取部の一例に相当する端末読取装置４０とを備える。また、図２に示すように、駐車区画毎に設置され、車両１０に取り付けられたＲＦＩＤ部１１から車情報を読み取る駐車位置読取部の一例に相当する駐車位置読取装置５０を備える。さらに、車情報と端末情報と駐車位置情報とを対応付けて管理し、携帯端末２０へ駐車位置を知らせるメッセージを送信する管理サーバ６０を有して構成される。
【００２５】
車両１０に取り付けられたＲＦＩＤ部１１は、近距離の非接触通信機能を持つ非接触ＩＣを有してなる非接触通信部の一例であり、車情報として車両ナンバーが予め格納されている。また、このＲＦＩＤ部１１には、車両ナンバーの他に車種名が格納されている。このＲＦＩＤ部１１は、車両前後のナンバープレートまたはその周辺部に取り付けられている。
【００２６】
図１に示すように、車両読取装置３０は、ゲート３１に取り付けられたＲＦＩＤリーダ部３２と、制御部３３と、通信部３４とを有する。ＲＦＩＤリーダ部３２は、非接触通信によって、入場（入庫）する車両１０のＲＦＩＤ部１１から車情報として車両ナンバー及び車種名を読み取る。制御部３３は、ＲＦＩＤリーダ部３２によって読み取った車両ナンバー及び車種名を通信部３４を介して管理サーバ６０へ送信する。
【００２７】
携帯端末２０は、ＲＦＩＤ部２１と、通信部２２と、制御部２３と、表示部２４とを有している。携帯端末２０の一例として携帯電話機を挙げることができる。携帯端末２０のＲＦＩＤ部２１には、携帯端末２０に対する通信用のアドレス情報としてメールアドレスが予め格納されている。このＲＦＩＤ部２１は、近距離の非接触通信機能を持つ非接触ＩＣを有してなる非接触通信部の一例であり、端末情報としてメールアドレス等のアドレス情報の他に、電話番号及び所有者の名前等のＩＤ情報が格納されている。この携帯端末２０を駐車場の利用者が所持して使用しているものとする。
【００２８】
端末読取装置４０は、ＲＦＩＤリーダ部４１と、制御部４２と、通信部４３とを有している。図３に示すように、端末読取装置４０は、駐車場入口の側方であって、駐車場入口で車両を一時停止した状態で、車両の運転者等の利用者が携帯端末２０をかざせる位置に設置されている。端末読取装置４０のＲＦＩＤリーダ部４１は、非接触通信によって、車両１０の入場に対応させて、車両読取装置３０による車情報の読み取りとほぼ同じタイミングで、携帯端末２０のＲＦＩＤ部２１から端末情報を読み取る。このため、端末読取装置４０は、車両１０の周辺または内部にある携帯端末２０を利用者の携帯端末とみなして、その端末情報を読み取ることになる。端末読取装置４０の制御部４２は、通信部４３を介して管理サーバ６０から供給される登録完了通知に基づいてゲート３１を開放し、車両の通行を許可する。
【００２９】
図２に示すように、駐車位置読取装置５０は、駐車判断部５１と、ＲＦＩＤリーダ部５２、制御部５３、通信部５４を含む処理部５５とを有する。制御部５３は、駐車判断部５１によって車両１０の駐車が検出されると、ＲＦＩＤリーダ部５２において非接触通信によって車両１０のＲＦＩＤ１１からから車両ナンバー及び車種名を読み取り、読み取った車両ナンバー、車種名及び駐車位置を通信部５４を介して管理サーバ６０へ送信する。
【００３０】
図１及び図２に示すように、管理サーバ６０は、通信部６１と、制御部６２と、データベース（ＤＢ）６３とを有している。制御部６２は、通信部６１を介して車両読取装置３０から送信された車両ナンバー及び車種名を受信すると、受信した車両ナンバー及び車種名をデータベース６３に登録する。また、制御部６２は、通信部６１を介して端末読取装置４０から送信されたメールアドレス、電話番号、所有者の名前を受信すると、受信したそれらの情報を先に登録した車両ナンバーと対応付けてデータベース６３に登録する。さらに、制御部６２は、通信部６１を介して駐車位置読取装置５０から送信された車両ナンバー、車種名及び駐車位置を受信すると、駐車位置を先に登録した車両ナンバーと対応付けてデータベース６３に登録する。そして、制御部６２は、登録された端末のアドレス情報宛てに駐車位置を知らせるための駐車位置情報を含むメッセージを作成する。本実施形態では、メッセージの一例としてメールを用いる。このため、制御部６２は、通信部６１を介して、生成したメールを登録されたメールアドレス宛に送信する。このメールには駐車位置だけではなく入庫時間、駐車料金案内、周辺施設情報などを含めることができ、また、駐車位置を示す画像ファイル等を添付するようにしてもよい。
【００３１】
携帯端末２０の制御部２３は、通信部２２によってメールの受信がなされると、それを表示部２４に表示する。そして、制御部２３は図示しない操作部によって受信メールの表示操作がなされると、受信したメールの内容を表示部２４に表示させる。
【００３２】
図４は入庫時の車両認証動作を示す説明図、図５は車両認証動作に用いる情報を示す図で、図５（Ａ）は車情報、図５（Ｂ）はデータベースの登録情報をそれぞれ示したものである。車両読取装置３０のＲＦＩＤリーダ部３２は、制御部３３から読取開始指令が入力されると（Ｔ１）、車両１０のＲＦＩＤ部１１から車情報の読み取りを開始し（Ｔ２）、図５（Ａ）に示すような車種と車両ナンバー（ナンバー）とを含む車情報７１を読み取る（Ｔ３）。車両読取装置３０の制御部３３は、ＲＦＩＤリーダ部３２が読み取った車種と車両ナンバーとを含む車情報を取得し（Ｔ４）、通信部３４に車情報送信命令を供給し（Ｔ５）、上記車情報を管理サーバ６０へ送信させる（Ｔ６）。
【００３３】
管理サーバ６０の制御部６２は、通信部６１を介してデータ（車情報）を受信し（Ｔ７）、このデータをデータベース６３に登録する（ステップＳ１、図５（Ｂ）のテーブルの２段目参照）。そして、通信部６１を介して車情報の登録完了通知を車両読取装置３０へ送信する（Ｔ８、Ｔ９）。この車情報の登録完了通知は、車両読取装置３０の通信部３４によって受信され、制御部３３に供給される（Ｔ１０）。これにより、車両読取装置３０の制御部３３は、車情報（車種、ナンバー）の登録がなされたことを認識する。
【００３４】
図６は入庫時の端末認証動作を示す説明図、図７は端末認証動作に用いる情報を示す図で、図７（Ａ）は端末情報、図７（Ｂ）はデータベースの登録情報をそれぞれ示したものである。端末読取装置４０のＲＦＩＤリーダ部４１は、制御部４２から読取開始命令が供給されると（Ｔ１１）、携帯端末２０のＲＦＩＤ部２１の情報の読み取りを開始し（Ｔ１２）、ＲＦＩＤ部２１から図７（Ａ）に示すような名前、電話番号及びメールアドレスを含む端末情報７２を読み取る（Ｔ１３）。端末読取装置４０の制御部４２は、ＲＦＩＤリーダ部４１が読み取った名前、電話番号及びメールアドレスを含む端末情報を取得し（Ｔ１４）、通信部４３に端末情報送信命令を供給し（Ｔ１５）、端末情報を管理サーバ６０へ送信させる（Ｔ１６）。
【００３５】
管理サーバ６０の制御部６２は、通信部６１を介してデータ（端末情報）を受信し（Ｔ１７）、このデータをデータベース６３に登録する。ここで、端末情報は先ほど登録した車情報と対応付けて登録される。また、管理サーバ６０の制御部６２は、端末情報を登録した時間（時刻）を入庫時間（入庫時刻）としてデータベース６３に登録する（ステップＳ２、図７（Ｂ）のテーブルの２段目参照）。そして、管理サーバ６０の制御部６２は、通信部６１を介して端末情報の登録完了通知を端末読取装置４０へ送信する（Ｔ１８、Ｔ１９）。この端末情報の登録完了通知は、端末読取装置４０の通信部４３によって受信され、制御部４２に供給される（Ｔ２０）。これにより、端末読取装置４０の制御部４２は、端末情報の登録がなされたことを認識する。そして、端末読取装置４０の制御部４２は、図１及び図３に示したゲート３１を開放し（ゲートオープン、ステップＳ３）、車両の通行を許可する。
【００３６】
図８は駐車位置の取得動作を示す説明図、図９は駐車位置取得動作に用いる駐車位置情報を示す図である。駐車位置読取装置５０の制御部５３は、駐車判断部５１から駐車確認が入力されると（Ｔ２１）、ＲＦＩＤリーダ部５２に対して読取開始命令を供給する（Ｔ２２）。ＲＦＩＤリーダ部５２は、読取開始命令が供給されると車両１０のＲＦＩＤ部１１の情報の読み取りを開始し（Ｔ２３）、ＲＦＩＤ部１１から車情報を読み取る（Ｔ２４）。制御部５３は、ＲＦＩＤリーダ部５２から読取情報（車情報）を取得すると（Ｔ２５）、通信部５４に駐車位置情報送信命令を供給し（Ｔ２６）、図９に示すような車情報（車種、ナンバー）と駐車位置とを含む駐車位置情報７３を通信部５４から管理サーバ６０へ送信させる（Ｔ２７）。
【００３７】
図１０は駐車位置の登録及び端末装置へのデータ送信動作を示す説明図、図１１は駐車位置の登録動作におけるデータベースの登録情報を示す図、図１２はデータ送信動作に用いる送信データを示す図、図１３は携帯端末の表示部の表示画面を示す図である。
【００３８】
管理サーバ６０の制御部６２は、駐車位置読取装置５０から送信された駐車位置情報を通信部６１を介して受信すると（Ｔ３１、Ｔ３２）、データベース６３に駐車位置を登録する（ステップＳ４、図１１のテーブルの２段目参照）。そして、制御部６２は、その車両１０に対応して登録されている携帯端末２０のメールアドレスを検索するとともに、その携帯端末２０宛ての送信データとして、図１２に示すような入庫時間、駐車位置、料金案内、お店情報等の送信データ７４を含むメールを生成し（ステップＳ５）、生成したメールを通信部６１に送り（Ｔ３３）、通信部６１から携帯端末２０へ送信させる（Ｔ３４）。また、通信部６１から駐車位置読取装置５０に対してデータの送信完了通知を送信する（Ｔ３５）。
【００３９】
上記メールには、入庫時間、駐車位置、料金案内、お店情報等が含まれており、また、駐車場マップが添付されている。携帯端末２０では、通信部２２を介してメールを受信し（Ｔ３６）、図１３に示すように受信メールの内容を表示部２４に表示させる（Ｔ３７）。これにより、駐車場の利用者は、自身が所持している携帯端末２０の表示部２４を閲覧することで、駐車位置を確認することができ、入庫時間、料金案内、お店情報等を得ることができる。
【００４０】
なお、駐車位置読取装置５０は、車両１０が駐車位置から出ると、駐車位置を含む非駐車状態情報を管理サーバ６０へ送信する。管理サーバ６０は、非駐車状態情報を受信すると受信した駐車位置に対応するデータ（車情報、端末情報、入庫時間、駐車位置）をデータベース６３から削除する。
【００４１】
また、駐車場出口にＲＦＩＤリーダ部を設置して退場（出庫）する車両の車情報（車両ナンバー）を読み取り、読み取った車情報（車両ナンバー）を管理サーバ６０へ送信することで、管理サーバ６０は退場（出庫）した車両のデータをデータベース６３から削除するようにしてもよい。
【００４２】
上述した第１の実施形態によれば、駐車場の利用者が所持する携帯端末２０を用いて、管理サーバ６０から駐車位置を知らせるメールを配信することができるので、利用者は任意の場所で携帯端末２０によって駐車位置を容易に確認することができる。また、この駐車位置情報とともに、入庫時間、駐車料金案内、周辺施設情報などをメールで配信することによって、駐車位置だけでなく、関連する種々の情報を得ることもできる。
【００４３】
（第２の実施形態）
図１４及び図１５は本発明の第２の実施形態に係る駐車場システムの構成を示す図であり、図１４は駐車場の入場時に関連する機能構成を示す図、図１５は駐車場の各駐車位置での駐車時に関連する機能構成を示す図である。
【００４４】
第２の実施形態の駐車場システムは、図１４に示すように、駐車場入口に設置され、車両１０に取り付けられたＲＦＩＤ部１１から車両ナンバーや車種等の車情報を読み取る車読取部の一例に相当する車両読取装置３０と、利用者が所持する携帯端末１２０に取り付けられたＲＦＩＤ部１２１から所有者の名前、電話番号等の端末情報を読み取るとともに、ＲＦＩＤ部１２１に管理サーバ１６０のサーバ情報としてＵＲＬ等を書き込む端末読取部の一例に相当する端末読取装置１４０とを備える。また、図１５に示すように、駐車区画毎に設置され、車両１０に取り付けられたＲＦＩＤ部１１から車情報（車両ナンバー等）を読み取る駐車位置読取部の一例に相当する駐車位置読取装置５０を備える。さらに、車情報と端末情報と駐車位置情報とを対応付けて管理し、携帯端末１２０からのアクセスに対して駐車位置等の配信情報を携帯端末１２０へ知らせる管理サーバ１６０とを有して構成される。
【００４５】
車両に取り付けられたＲＦＩＤ部１１は、近距離の非接触通信機能を持つ非接触ＩＣを有してなる非接触通信部の一例であり、車情報としての車両ナンバー及び車種名が予め格納されている。このＲＦＩＤ部１１は、車両前後のナンバープレートまたはその周辺部に取り付けられている。
【００４６】
図１４に示すように、車両読取装置３０は、ゲート３１に取り付けられたＲＦＩＤリーダ部３２において、非接触通信によって入場（入庫）する車両１０のＲＦＩＤ部１１から車両ナンバー及び車種名を読み取り、読み取った車両ナンバー及び車種名を制御部３３及び通信部３４を介して管理サーバ１６０へ送信する。
【００４７】
携帯端末１２０は、非接触通信によりデータの読み出し及び書き込みが可能なＲＦＩＤ部１２１と、通信部１２２と、制御部１２３と、表示部１２４及びキー操作部１２５を有している。携帯端末１２０の一例として携帯電話機を挙げることができる。携帯端末１２０のＲＦＩＤ部１２１は、近距離の非接触通信機能を持つ非接触ＩＣを有してなる非接触通信部の一例であり、端末情報として電話番号及び所有者の名前が予め格納されている。この携帯端末１２０を駐車場の利用者が所持して使用しているものとする。
【００４８】
端末読取装置１４０は、ＲＦＩＤリーダライタ部１４１と、制御部１４２と、通信部１４３とを有している。この端末読取装置１４０は、第１の実施形態と同様に、駐車場入口の側方であって、駐車場入口で車両を一時停止した状態で、車両の運転者が携帯端末１２０をかざせる位置に設置されている（図３参照）。端末読取装置１４０のＲＦＩＤリーダライタ部１４１は、非接触通信によって、車両１０の入場に対応させて、車両読取装置３０による車情報の読み取りとほぼ同じタイミングで、携帯端末１２０のＲＦＩＤ部１２１から端末情報の読み取り、ＲＦＩＤ部１２１へのサーバ情報の書き込みを行う。このため、端末読取装置１４０は、車両１０の周辺または内部にある携帯端末１２０を利用者の携帯端末とみなして、その端末情報を読み取るとともに、管理サーバ１６０のサーバ情報を携帯端末１２０に書き込むことになる。端末読取装置１４０の制御部１４２は、通信部１４３を介して管理サーバ１６０から供給される登録完了通知に基づいてゲート３１を開放し、車両の通行を許可する。
【００４９】
図１５に示すように、駐車位置読取装置５０は、駐車判断部５１と、ＲＦＩＤリーダ部５２と、制御部５３と、通信部５４とを有する。制御部５３は、駐車判断部５１によって車両１０の駐車が検出されると、ＲＦＩＤリーダ部５２を介して車両１０のＲＦＩＤ１１から車両ナンバー及び車種名を読み取り、読み取った車両ナンバー、車種名及び駐車位置を通信部５４を介して管理サーバ１６０へ送信する。
【００５０】
図１４及び図１５に示すように、管理サーバ１６０は、通信部１６１と、制御部１６２と、データベース（ＤＢ）１６３とを有している。制御部１６２は、通信部１６１を介して車両読取装置３０から送信された車両ナンバー及び車種名を受信すると、受信した車両ナンバー及び車種名をデータベース１６３に登録する。また、制御部１６２は、通信部１６１を介して端末読取装置１４０から送信された電話番号及び所有者の名前を受信すると、受信したそれらの情報を先に登録した車両ナンバーと対応付けてデータベース１６３に登録し、登録完了通知を通信部１６１を介して車両読取装置３０及び端末読取装置１４０へそれぞれ送信する。さらに、制御部１６２は、通信部１６１を介して駐車位置読取装置５０から送信された車両ナンバー、車種名及び駐車位置を受信すると、駐車位置を先に登録した車両ナンバーと対応付けてデータベース１６３に登録する。
【００５１】
そして、制御部１６２は、携帯端末１２０から管理サーバ１６０へのアクセスがなされ、情報取得要求を受けると、携帯端末１２０に対して電話番号の入力を促すメッセージを送信する。そして、携帯端末１２０から電話番号が入力されると、その電話番号に基づいてデータベース１６３を検索し、駐車位置、入庫時間を得るとともに、駐車位置、入庫時間、駐車料金案内、周辺施設情報などの配信情報を携帯端末１２０へ提供する。
【００５２】
図１６は入庫時の車両認証動作を示す説明図である。車両読取装置３０のＲＦＩＤリーダ部３２は、制御部３３から読取開始命令が入力されると（Ｔ４１）、車両１０のＲＦＩＤ部１１から車情報の読み取りを開始し（Ｔ４２）、図５（Ａ）に示すような車種と車両ナンバー（ナンバー）とを含む車情報７１を読み取る（Ｔ４３）。車両読取装置３０の制御部３３は、ＲＦＩＤリーダ部３２が読み取った車種と車両ナンバーとを含む車情報を取得し（Ｔ４４）、通信部３４に車情報送信命令を供給し（Ｔ４５）、上記車情報を管理サーバ１６０へ送信させる（Ｔ４６）。
【００５３】
管理サーバ１６０の制御部１６２は、通信部１６１を介してデータ（車情報）を受信し（Ｔ４７）、このデータをデータベース１６３に登録する（ステップＳ１１、図５（Ｂ）のテーブルの２段目参照）。そして、通信部１６１を介して車情報の登録完了通知を車両読取装置３０へ送信する（Ｔ４８、Ｔ４９）。この車情報の登録完了通知は、車両読取装置３０の通信部３４によって受信され、制御部３３に供給される（Ｔ５０）。これにより、車両読取装置３０の制御部３３は、車情報（車種、ナンバー）の登録がなされたことを認識する。
【００５４】
図１７は入庫時の端末認証動作を示す説明図、図１８は端末認証動作に用いる情報を示す図で、図１８（Ａ）は端末情報、図１８（Ｂ）はサーバ情報をそれぞれ示したものである。端末読取装置１４０のＲＦＩＤリーダライタ部１４１は、制御部１４２から読取開始命令が供給されると（Ｔ５１）、携帯端末１２０のＲＦＩＤ部１２１の情報の読み取りを開始し（Ｔ５２）、ＲＦＩＤ部１２１から図１８（Ａ）に示すような所有者の名前と電話番号とを含む端末情報８１を読み取る（Ｔ５３）。端末読取装置１４０の制御部１４２は、ＲＦＩＤリーダライタ部１４１が読み取った名前、電話番号を含む端末情報を取得すると（Ｔ５４）、書込開始命令をＲＦＩＤリーダライタ部１４１へ供給し（Ｔ５５）、サーバにアクセスするための情報として、図１８（Ｂ）に示すようなＵＲＬ情報等のサーバ情報８２をＲＦＩＤ部１２１に書き込ませる（Ｔ５６）。そして、端末読取装置１４０の制御部１４２は、通信部１４３に端末情報送信命令を供給し（Ｔ５７）、名前、電話番号を含む端末情報を管理サーバ１６０へ送信させる（Ｔ５８）。
【００５５】
管理サーバ１６０の制御部１６２は、通信部１６１を介してデータ（端末情報）を受信し（Ｔ５９）、このデータをデータベース１６３に登録する。ここで、端末情報は先ほど登録した車情報と対応付けて登録される。また、管理サーバ１６０の制御部１６２は、端末情報を登録した時間（時刻）を入庫時間（入庫時刻）としてデータベース１６３に登録する（ステップＳ１２、図７（Ｂ）のテーブルの２段目参照）。そして、管理サーバ１６０の制御部１６２は、通信部１６１を介して端末情報の登録完了通知を端末読取装置１４０へ送信する（Ｔ６０、Ｔ６１）。この端末情報の登録完了通知は、端末読取装置１４０の通信部１４３によって受信され、制御部１４２に供給される（Ｔ６２）。これにより、端末読取装置１４０の制御部１４２は、端末情報の登録がなされたことを認識する。そして、端末読取装置１４０の制御部１４２は、ゲート３１を開放し（ゲートオープン、ステップＳ１３）、車両の通行を許可する。
【００５６】
図１９は駐車位置の取得動作及び駐車位置の登録動作を示す説明図である。駐車位置読取装置５０の制御部５３は、駐車判断部５１から駐車確認が入力されると（Ｔ７１）、ＲＦＩＤリーダ部５２に対して読取開始命令を供給する（Ｔ７２）。ＲＦＩＤリーダ部５２は、読取開始命令が供給されると車両１０のＲＦＩＤ部１１の情報の読み取りを開始し（Ｔ７３）、ＲＦＩＤ部１１から車情報を読み取る（Ｔ７４）。制御部５３は、ＲＦＩＤリーダ部５２から読取情報（車情報）を取得すると（Ｔ７５）、通信部５４に駐車位置情報送信命令を供給し（Ｔ７６）、図９に示すような車情報（車種、ナンバー）と駐車位置とを含む駐車位置情報７３を通信部５４から管理サーバ１６０宛てに送信させる（Ｔ７７）。管理サーバ１６０の制御部１６２は、通信部１６１を介して駐車位置情報を受信すると（Ｔ７８）、この駐車位置情報に基づいてデータベース１６３に駐車位置を登録する（ステップＳ１４、図１１のテーブルの２段目参照）。
【００５７】
図２０は駐車位置の確認動作を示す説明図、図２１は携帯端末の表示部の表示画面を示す図であり、図２１（Ａ）はデータ受信時の表示画面、図２１（Ｂ）はサーバアクセス時の表示画面をそれぞれ示したものである。携帯端末１２０の所有者がキー操作部１２５を操作し、サーバアクセスの操作入力がなされると（Ｔ８１）、制御部１２３は、管理サーバ１６０のサーバ情報（ＵＲＬ）を表示部１２４に表示させる（Ｔ８２）。そして、制御部１２３は、ＲＦＩＤ部１２１に書き込まれた管理サーバ１６０のサーバ情報（ＵＲＬ）を読み出し、このＵＲＬに対して通信部１２２を介してアクセス要求（情報取得要求）を送信し（Ｔ８３）、管理サーバ１６０へアクセスする（Ｔ８４）。
【００５８】
このサーバアクセスに対応して、管理サーバ１６０は、ユーザ確認のために電話番号の入力を促すメッセージデータを送信する（Ｔ８５）。携帯端末１２０の制御部１２３は、通信部１２２を介して上記メッセージデータを受信すると、表示部１２４に図２１（Ａ）に示すような電話番号の入力を促す入力画面を表示させる（Ｔ８６）。そして、携帯端末１２０の所有者がキー操作部１２５を操作して電話番号を入力すると（Ｔ８７）、制御部１２３は、上記ＵＲＬに対して通信部１２２を介してアクセス要求を送信し（Ｔ８８）、管理サーバ１６０へアクセスして入力された電話番号データを送信する（Ｔ８９）。管理サーバ１６０の制御部１６２は、電話番号に基づいてデータベース１６３から該当するデータを検索し（ステップＳ１５）、駐車位置、入庫時間を求める。そして、管理サーバ１６０の制御部１６２は、通信部１６１を介して駐車位置、入庫時間等のデータを携帯端末１２０へ送信する（Ｔ９０）。
【００５９】
携帯端末１２０の制御部１２３は、通信部１２２を介してデータを受信し（Ｔ９１）、図２１（Ｂ）に示すように受信したデータの内容を表示部１２４に表示させる（Ｔ９２）。これにより、駐車場の利用者は、自身が所持している携帯端末１２０の表示部１２４を閲覧することで、駐車位置や入庫時間を確認することができる。なお、管理サーバ１６０は、駐車位置、入庫時間のデータだけでなく、駐車場マップ、料金案内、お店情報等のデータを送信し、携帯端末１２０で駐車位置の詳細、料金案内やお店情報等を確認できるようにしてもよい。
【００６０】
上述した第２の実施形態によれば、駐車場の利用者が所持する携帯端末１２０を用いて、管理サーバ１６０にアクセスすることによって、管理サーバ１６０から携帯端末１２０へ駐車位置を知らせる配信情報を送信することができるので、利用者は任意の時間及び場所で携帯端末１２０によって駐車位置を容易に確認することができる。また、この駐車位置情報とともに、入庫時間、駐車料金案内、周辺施設情報などを配信することによって、駐車位置だけでなく、関連する種々の情報を得ることもできる。
【００６１】
上記実施形態では、携帯端末を用いた駐車場システムの構成例を示したが、駐車する車としては、自動車、バス、トラック、二輪車、自転車など、種々の移動体に適用可能である。携帯端末としては、携帯電話機、携帯情報端末、携帯型コンピュータなど、端末読取装置や管理サーバ等と通信可能な可般型の種々の端末に適用可能である。駐車場についても、種々の形態の駐車場に適用可能であるが、特に、駐車区画が多い大規模の駐車場に有用である。
【産業上の利用可能性】
【００６２】
本発明は、駐車場の利用者が所持する携帯端末を用いて駐車位置等の情報を容易に確認することが可能となる効果を有し、携帯端末を用いた駐車場システム等に有用である。
【図面の簡単な説明】
【００６３】
【図１】本発明の第１の実施形態に係る駐車場システムの構成を示すもので、駐車場の入場時に関連する機能構成を示す図
【図２】本発明の第１の実施形態に係る駐車場システムの構成を示すもので、駐車場の各駐車位置での駐車時に関連する機能構成を示す図
【図３】本発明の第１の実施形態に係る駐車場システムの構成を示すもので、駐車場入口の入場ゲートの配置構成を示す図
【図４】第１の実施形態の駐車場システムにおける入庫時の車両認証動作を示す説明図
【図５】本実施形態の車両認証動作に用いる情報を示す図で、図５（Ａ）は車情報、図５（Ｂ）はデータベースの登録情報をそれぞれ示す図
【図６】第１の実施形態の駐車場システムにおける入庫時の端末認証動作を示す説明図
【図７】本実施形態の端末認証動作に用いる情報を示す図で、図７（Ａ）は端末情報、図７（Ｂ）はデータベースの登録情報をそれぞれ示す図
【図８】第１の実施形態の駐車場システムにおける駐車位置の取得動作を示す説明図
【図９】本実施形態の駐車位置取得動作に用いる駐車位置情報を示す図
【図１０】第１の実施形態の駐車場システムにおける駐車位置の登録及び端末装置へのデータ送信動作を示す説明図
【図１１】本実施形態の駐車位置の登録動作におけるデータベースの登録情報を示す図
【図１２】本実施形態のデータ送信動作に用いる送信データを示す図
【図１３】第１の実施形態における携帯端末の表示部の表示画面を示す図
【図１４】本発明の第２の実施形態に係る駐車場システムの構成を示すもので、駐車場の入場時に関連する機能構成を示す図
【図１５】本発明の第２の実施形態に係る駐車場システムの構成を示すもので、駐車場の各駐車位置での駐車時に関連する機能構成を示す図
【図１６】第２の実施形態の駐車場システムにおける入庫時の車両認証動作を示す説明図
【図１７】第２の実施形態の駐車場システムにおける入庫時の端末認証動作を示す説明図
【図１８】本実施形態の端末認証動作に用いる情報を示す図で、図１８（Ａ）は端末情報、図１８（Ｂ）はサーバ情報をそれぞれ示す図
【図１９】第２の実施形態の駐車場システムにおける駐車位置の取得動作及び駐車位置の登録動作を示す説明図
【図２０】第２の実施形態の駐車場システムにおける駐車位置の確認動作を示す説明図
【図２１】第２の実施形態における携帯端末の表示部の表示画面を示す図
【符号の説明】
【００６４】
１０  車両
１１  ＲＦＩＤ部
２０、１２０  携帯端末
２１、１２１  ＲＦＩＤ部
２２、１２２  通信部
２３、１２３  制御部
２４、１２４  表示部
３０  車両読取装置
３１  ゲート
３２  ＲＦＩＤリーダ部
３３  制御部
３４  通信部
４０、１４０  端末読取装置
４１  ＲＦＩＤリーダ部
１４１  ＲＦＩＤリーダライタ部
４２  制御部
４３  通信部
５０  駐車位置読取部
５１  駐車判断部
５２  ＲＦＩＤリーダ部
５３  制御部
５４  通信部
５５  処理部
６０、１６０  管理サーバ
６１、１６１  通信部
６２、１６２  制御部
６３、１６３  データベース
【図１】
2006259850.tif 000003
【図２】
2006259850.tif 000004
【図３】
2006259850.tif 000005
【図４】
2006259850.tif 000006
【図５】
2006259850.tif 000007
【図６】
2006259850.tif 000008
【図７】
2006259850.tif 000009
【図８】
2006259850.tif 000010
【図９】
2006259850.tif 000011
【図１０】
2006259850.tif 000012
【図１１】
2006259850.tif 000013
【図１２】
2006259850.tif 000014
【図１３】
2006259850.tif 000015
【図１４】
2006259850.tif 000016
【図１５】
2006259850.tif 000017
【図１６】
2006259850.tif 000018
【図１７】
2006259850.tif 000019
【図１８】
2006259850.tif 000020
【図１９】
2006259850.tif 000021
【図２０】
2006259850.tif 000022
【図２１】
2006259850.tif 000023